(57)【要約】  【課題】  幅の狭い空気吹き出し口より吹き出される空気の広角配風が可能な車両用風向調整装置を提供する。  【解決手段】  幅の狭い空気吹き出し口３ａに回動自在に設けられた複数群の前ルーバ４を、空気吹き出し口３ａの中心に対してほぼ対称となるよう配置すると共に、空気吹き出し口３ａより車室内へ吹き出される空気の風向を中立位置に調整した場合、各群の前ルーバ４が逆位相となるよう角度調整し、また中立以外の方向へ風向調整した場合、各群の前ルーバ４が同一位相となるよう角度調整する角度調整手段５を設けたもので、風向を中立位置に調整した場合、広角な直進風が得られると共に、中立以外へ風向調整した場合、良好な風向調整性能が得られるようになる。【選択図】  図２
2005132312.tif 000002
【特許請求の範囲】
【請求項１】
ケースに設けられたな空気吹き出し口より車室内へ吹き出される空気の風向を調整する車両用風向調整装置であって、前記空気吹き出し口に回動自在に設けられた複数群のルーバを、前記空気吹き出し口に交差するように配置すると共に、前記空気吹き出し口より車室内へ吹き出される空気の風向を中立位置に調整した場合、隣り合う前記ルーバー群が逆位相となるよう角度調整し、また中立以外の方向へ風向調整した場合、隣り合う前記ルーバー群が同一位相となるよう角度調整する角度調整手段を設けたことを特徴とする車両用風向調整装置。
【請求項２】
前記角度調整手段を、互いに接離方向へ移動自在な複数のリンクにより形成し、かつ前記各ルーバより突設されたレバーを介して前記各リンクと前記各群のルーバをそれぞれ連動すると共に、前記各リンクを操作ダイヤルにより接離方向へ移動することにより、前記各群のルーバを同位相及び逆位相となるよう角度調整してなる請求項１に記載の車両用風向調整装置。
【請求項３】
前記各ルーバより突設されたレバーを、長さの異なる長短レバーにより形成してなる請求項２に記載の車両用風向調整装置。
【請求項４】
前記空気吹き出し口の縦と横の寸法比を、３：１〜５：１の範囲に設定してなる請求項１ないし３の何れかに記載の車両用風向調整装置。
【発明の詳細な説明】
【技術分野】
【０００１】
本発明は、車室内へ吹き出される空気の風向を調整する車両用風向調整装置に関する。
【背景技術】
【０００２】
従来自動車等の車両には、エアコンディショナ（エアコン）により調和された空気を車室内へ吹き出す空気吹き出し口が例えばインストルメントパネル等に開口されており、空気吹き出し口には、空気の風向を調整する風向調整装置が設けられている（例えば特許文献１）。
【特許文献１】特開平７−３０４３３１号公報。
【０００３】
前記特許文献１に記載の「ベンチレーションルーバー」は、ベンチレータケース内に、コネクタにより互いに連動された複数のフィンを回動自在に設け、かつ中央フィンに設けた操作ノブにより各フィンを所望の方向へ回動できるようになすと共に、両側に位置するフィンの回動軸を、中央のフィンより吹き出し口側へずらしたことを特徴とするもので、これによって操作ノブにより各フィンが回動操作された際、両側に位置するフィンが互いに異なる角度で回動するため、風向特性が向上する等の効果を有している。
【０００４】
一方、近年自動車のインストルメントパネルには、カーオーディオやカーナビゲーション等の車載機器が多数装着されるようになったため、車室内へ空気を吹き出す空気吹き出し口を設けるためのスペースが減少し、設置する場所にも制約を受けている。
【０００５】
しかしスペース的な制約により空気吹き出し口の開口面積を小さくすると、空気の吹き出し量や吹き出し効率が低下するため、最近では空気吹き出し口を縦方向に細長くすることにより、空気吹き出し量や吹き出し効率を低下させることなく少ないスペースにも容易に設置が可能な省スペース化された風向調整装置が実用化されている（例えば特許文献２）。
【特許文献２】特開２００２−１４４８６１号公報。
【０００６】
前記特許文献２に記載のベンチレータグリルは、ベンチレータケース内に設けられた互いに連動する複数のフィンを、手前側のフィンをガイド部材として摺動自在な操作ノブにより回動することにより、風向調整自在とすると共に、全閉状態から開放状態への操作ノブの移動を規制する係合部をガイド部材に設けたもので、車両の振動や風圧によりフィンが全閉状態から開放状態に回動するのを防止することができるようになっている。
【発明の開示】
【発明が解決しようとする課題】
【０００７】
しかし前記特許文献１に記載のベンチレーションルーバーでは、両側に位置するフィンの回動軸を中央のフィンに対し吹き出し口側へずらすことにより風向性能の向上が図れる効果はあるが、各フィンを中立位置に操作した場合は、空気吹き出し口より直進風のみが吹き出されるため、省スペース化のために空気吹き出し口の幅を狭くした風向調整装置に採用した場合、配風範囲が狭くなって、広角に配風が行えない等の問題がある。
【０００８】
一方特許文献２に記載されたベンチレーショングリルでは、幅狭な空気吹き出し口に縦方向に設けられた縦フィンを回動して、左右方向へ風向調整しようとしても、風の方向が曲らないため風向調整性能が低い上、縦フィンを中立位置に操作した場合は、空気吹き出し口より直進風のみが吹き出されるため、前記特許文献１のベンチレーションルーバーと同様、配風範囲が狭い等の問題もある。
【０００９】
本発明はかかる従来の問題を改善するためになされたもので、幅の狭い空気吹き出し口より吹き出される空気の広角配風が可能な車両用風向調整装置を提供することを目的とするものである。
【課題を解決するための手段】
【００１０】
本発明の車両用風向調整装置は、ケースに設けられた幅狭な空気吹き出し口より車室内へ吹き出される空気の風向を調整する車両用風向調整装置であって、空気吹き出し口に回動自在に設けられた複数群のルーバを、空気吹き出し口の中心に対してほぼ対称となるよう配置すると共に、空気吹き出し口より車室内へ吹き出される空気の風向を中立位置に調整した場合、複数群のルーバが逆位相となるよう角度調整し、また中立以外の方向へ風向調整した場合、複数群のルーバが同一位相となるよう角度調整する角度調整手段を設けたものである。
【００１１】
前記構成により、空気吹き出し口より車室内へ吹き出される空気の風向を中立位置に調整した場合、各ルーバにより風向調整された空気は、広角となって車室内へと吹き出されるため、設置スペースの関係で空気吹き出し口の幅が狭くなっても、広角な直進風が得られると共に、中立以外の方向へ風向調整した場合、各群のルーバが同一位相となるため、空気吹き出し口の幅が狭い場合でも、良好な風向調整性能が得られるようになる。
【００１２】
本発明の車両用風向調整装置は、角度調整手段を、互いに接離方向へ移動自在な複数のリンクにより形成し、かつ各ルーバより突設されたレバーを介して各リンクと各群のルーバをそれぞれ連動すると共に、各リンクを操作ダイヤルにより接離方向へ移動することにより、各群のルーバを同位相及び逆位相となるよう角度調整したものである。
【００１３】
前記構成により、操作ダイヤルにより接離方向へ移動自在なリンクを設けるだけで、各群のルーバを同位相や逆位相に角度調整できるため、角度調整手段が簡単な構成で安価に得られるようになる。
【００１４】
本発明の車両用風向調整装置は、各ルーバより突設されたレバーを、長さの異なる長短レバーにより形成したものである。
【００１５】
前記構成により、空気吹き出し口より車室内へ吹き出される空気の風向を中立以外に調整した場合、中央側のルーバに対して両側のルーバは、やや外側へと開くため、各ルーバにより風向調整された空気は広角となって車室内へと吹き出されるようになり、これによって設置スペースの関係で空気吹き出し口の幅が狭い場合でも、風向調整性能を損なわずに配風性能を向上させることができる。
【００１６】
本発明の車両用風向調整装置は、空気吹き出し口の縦と横の寸法比を、３：１〜５：１の範囲に設定したものである。
【００１７】
前記構成により、風向調整特性を損なうことなく風向調整装置の薄型化が図れるため、インストルメントパネル等の少ないスペースにも容易に設置することができる。
【発明の効果】
【００１８】
本発明の車両用風向調整装置によれば、空気吹き出し口より車室内へ吹き出される空気の風向を中立位置に調整した場合、各群のルーバが逆位相となるため、設置スペースの関係で空気吹き出し口の幅が狭くなっても、広角な直進風が得られると共に、中立以外の方向へ風向調整した場合、各群のルーバが同一位相となるため、良好な風向調整性能が得られるようになる。
【発明を実施するための最良の形態】
【００１９】
本発明の実施の形態を、図面を参照して詳述する。
【００２０】
図１は風向調整装置の斜視図、図２は同分解斜視図、図３は横断面図、図４ないし図６は作用説明図である。
【００２１】
図１に示す風向調整装置の本体１は、例えば車室内に設置されたインストルメントパネル（図示せず）の狭いスペースにも容易に設置できるように縦型構造となっていて、縦方向に細長い扁平なケース２を有しており、ケース２の縦と横の寸法比は、例えば３：１〜５：１に設定されている。
【００２２】
ケース２の後端部はダクトを介してエアコンディショナ（ともに図示せず）に接続されており、前端側の開口部２ａは、やや幅広となっていて、この開口部２ａに、空気吹き出し口３ａを有する額縁状のフィニッシャ３が前方より嵌着されている。
【００２３】
ケース２の前部に形成された幅広部２ｂ内には風向調整を行うルーバである前ルーバ４が、そしてその後方に同じく後ルーバ８が前後に離間して設けられている。
【００２４】
前ルーバ４は複数、例えば４本の縦ルーバ４ａより構成されていて、ケース２の幅方向の中心線Ｏ１に対して左側の２枚と右側の２枚がそれぞれ群となっていて、各群の縦ルーバ４ａは、ケース２の縦方向の中心線Ｏ（図２参照）を挟んで対称に配置されており、各縦ルーバ４の上下端のほぼ中央に突設されたピン４ｂが幅広部２ｂの上下内面に設けられたスペーサ６のピン孔６ａに回動自在に嵌合されていると共に、各群の縦ルーバ４ａは、調整手段５により逆位相及び同位相に角度調整自在となっている。
【００２５】
すなわち各縦ルーバ４ａのうち幅広部２ｂの中央側に位置する２枚の縦ルーバ４ａの下端に長レバー４ｃが、そして幅広部２ｂの内側面側に位置する２枚の縦ルーバ４ａの下端に短レバー４ｄがそれぞれ後方へ向けて突設されている。
【００２６】
長レバー４ｃ及び短レバー４ｄは、図３に示すように縦ルーバ４ａより突設されたピン４ｂ側が小径で、かつ先端側が大径な円弧の両端を、直線部４ｅで接線方向に接続したほぼ玉子形となっており、ケース２の中心線Ｏ１に面した直線部４ｅと各縦ルーバ４ａの中心線Ｏ２がほぼ平行するよう縦ルーバ４ａと長短レバー４ｃ、４ｄが一体化されている。
【００２７】
長短レバー４ｃ、４ｄの先端部には、下方に向けてピン４ｆが突設されていて、これらのピン４ｆは、幅広部２ｂの内底面に設けられた角度調整手段５を構成する左右一対のリンク５ａのピン孔５ｂに上方より回動自在に嵌挿されている。
【００２８】
各リンク５ａは、板体によりほぼ正方形に形成されていて、長短レバー４ｃ、４ｄより突設されたピン４ｆと合致する位置にピン孔５ｂが前後に位置をずらして形成されており、図３に示すように幅広部２ｂの内面と対向する辺の後部側角部に、上下方向に作動ピン５ｃが突設されている。
【００２９】
そしてこれら作動ピン５ｃは、幅広部２ｂの下部内面に設けられたスペーサ６のガイド孔６ｂと、幅広部２ｂの下部外面に設けられた操作ダイヤル７のガイド溝７ａに上方より嵌挿されている。
【００３０】
幅広部２ｂの下部に設けられたスペーサ６は、幅広部２ｂの上部に設けられたスペーサ６より幅広となっていて、後縁側の両角部にガイド溝６ｂが形成されている。
【００３１】
これらガイド溝６ｂは図３に示すように、互いに群をなす縦ルーバ４ａのピン４ｂ間のほぼ中間部を中心とする円弧により形成されており、これらガイド孔６ｂを通過した作動ピン５ｃは、各作動ピン５ｃの動作に支障をきたさないように幅広部２ｂの下面に形成された切り欠き２ｃより幅広部２ｂの下方へ突設され、幅広部２ｂの下側に設けられた操作ダイヤル７のガイド溝７ａに上方より嵌挿されている。
【００３２】
操作ダイヤル７は図２に示すように中心部に円孔７ｂが形成されていて、この円孔７ｂを幅広部２ｂの下面に突設された軸ピン（図示せず）に回転自在に嵌合されている。
【００３３】
操作ダイヤル７の外周面には、ほぼ半周に亘って形成された歯車状の操作部７ｃと、中立位置を示す目印７ｄが設けられており、この操作部７ｃはフィニッシャ３の下部に形成された長孔３ｂよりフィニッシャ３の前面に突出されている。
【００３４】
操作ダイヤル７に形成されたガイド溝７ａの前端側は、操作ダイヤル７の回転中心Ｏ３を中心とする円弧となっており、後端側もほぼ同じ曲率の円弧となっていて、後端側は操作ダイヤル７の外周側へ向って拡開されている。
【００３５】
一方前ルーバ４の後方に設けられた後ルーバ８は、図２に示すように複数枚、例えば６枚の横ルーバ８ａにより構成されている。
【００３６】
各横ルーバ８ａの両端にはピン８ｂが突設されていて、これらピン８ｂはケース２の両側面に上下方向に等間隔に形成されたピン孔２ｄに回動自在に嵌合されている。
【００３７】
各横ルーバ８ａの一端側後部には、連動ピン８ｃが突設されていて、これら連動ピン８ｃを連動リンク９に形成されたピン孔９ａに回動自在に嵌合することにより、各横ルーバ８ａが連動リンク９により連動されている。
【００３８】
連動リンク９のほぼ中間部にはピン孔９ｂが形成されていて、このピン孔９ｂに、ケース２の一方の外側面に設けられた操作ダイヤル１０のピン１０ａが嵌合されている。
【００３９】
操作ダイヤル１０はほぼ半円形となっていて、中心部に形成された円孔１０ｂは、ケース２の外側面に突設された軸ピン（図示せず）に回動自在に嵌合されていると共に、操作ダイヤル１０の外周面には、歯車状の操作部１０ｃと、中立位置を示す目印１０ｄが形成されており、操作部１０ｃは、フィニッシャ３に形成された長孔３ｃよりフィニッシャ３の前面に突出されている。
【００４０】
次に前記構成された風向調整装置の作用を説明すると、縦長に形成された風向調整装置の本体１は、ケース２が扁平なため、インストルメントパネルに装着された車載機器の側方等の狭いスペースにも容易に設置可能である。
【００４１】
また車室内に開口された空気吹き出し口３ａからは、エアコンディショナにより調和された空気が車室内に吹き出されるが、いま図３に示すように前ルーバ４の各縦ルーバ４ａが右方向へ同位相で回動された状態では、空気吹き出し口３ａより車室内に吹き出される空気は、各縦ルーバ４ａにより右方へ風向調整される。
【００４２】
このとき中央側に位置する２枚の縦ルーバ４ａはほぼ平行となっているが、互いに群をなす左右縦ルーバ４ａは、長さの異なる長短レバー４ｃ、４ｄによりリンク５に連結されているため、外側、すなわち幅広部２ｂの内面側に位置する２枚の縦ルーバ４ａは、やや外側へと開いている。
【００４３】
これによって各縦ルーバ４ａにより風向調整された空気は、図５に示すように右方向へと風向調整されると共に広角となって車室内へと吹き出されるため、設置スペースの関係で空気吹き出し口３ａの幅が狭くなっても、車室内へ広角に空気を吹き出すことができると共に、この状態で操作ダイヤル１０を操作して、後ルーバ８の角度を変えることにより、空気吹き出し口３ａより吹き出される空気の上下方向の風向調整が行えるようになる。
【００４４】
またこの状態から操作ダイヤル７を時計回り方向へ回動すると、回転中心Ｏ３の右側に位置するガイド溝７ａの前端部が図４に示す位置へと移動するため、ガイド溝７ａの前端にあった作動ピン５ｃはガイド溝７ａのほぼ中央位置になるが、ガイド溝７ａの前端側は、操作ダイヤル７の回転中心Ｏ３を中心とする円弧となっているため、作動ピン５ｃはその位置に停止している。
【００４５】
一方操作ダイヤル７の回転中心Ｏ３より左側に位置するガイド溝７ａの後端部は、操作ダイヤル７の回転により図４に示す位置へと移動するため、ガイド溝７ａの前端にあった作動ピン５ｃは、ガイド溝７ａのほぼ中央となるが、ガイド溝７ａの後端側は操作ダイヤル７の外周側に予め拡開されているため、ガイド溝７ａの後端側により作動ピン５ｃが押圧されてリンク５が幅広部２ｂの中央側へ移動される。
【００４６】
これによっていままで右方に角度調整されていた左側の縦ルーバ４ａが、ピン４ｂを中心に時計回りへと回動されるため、各群の縦ルーバ４ａは左右逆位相となって中心線Ｏ１より左側から吹き出される空気は左方向へ、そして右側から吹き出される空気は右方向へ風向調整されるが、空気吹き出し口３ａの中央付近は左右を流れる空気流により負圧状態となるため、左右を流れる空気流は互いに中央側へと引き寄せられながら直進することになり、その結果空気吹き出し口３ａより吹き出される空気は図６に示すように直進風となる上、互いに対をなす縦ルーバ４ａは、長さの異なる長短レバー４ｃ、４ｄによりリンクに連結されているため、幅広部２ｂの内面側に位置する２枚の縦ルーバ４ａは、やや外側へと開いており、これによって空気吹き出し口３ａの幅が狭くとも広角に吹き出される直進風が得られるようになる。
【００４７】
またこの状態で操作ダイヤル１０を操作して、後ルーバ８の角度を変えることにより、空気吹き出し口３ａより吹き出される空気の上下方向の風向調整が行えるようになる。
【００４８】
一方図４に示す状態からさらに操作ダイヤル７を時計回り方向へ回動させると、中心線Ｏ１より左側の縦ルーバ４ｂはその位置を維持し、中心線Ｏ１の右側に位置する縦ルーバ４ａに連結されたリンク５が右方へと移動されて、中心線Ｏ１より右側の縦ルーバ４ａがピン４ｂを中心に時計回り方向へと回動され、これによって各群の縦ルーバ４ａは左右同位相となって、空気吹き出し口３ａより吹き出される空気は右方向へと風向調整されると共に、右方向へと風向調整したときと同様に、幅広部２ｂの内面側に位置する２枚の縦ルーバ４ａは、やや外側へと開くため、各縦ルーバ４ａにより風向調整された空気は、広角となって車室内へと吹き出されるようになる。
【００４９】
なお前記実施の形態では、群をなす縦ルーバ４ａの回動角度が異なるようにレバー４ｃ、４ｄの長さを変えたが、レバー４ｃ、４ｄの長さを等しくして、群をなす縦ルーバ４ａが互いに平行を維持した状態で回動するようにしてもよい。
【００５０】
また風向調整装置本体１の設置方向は、縦方向に限定されることはなく、横方向に設置しても勿論よい。
【００５１】
さらに、ルーバー群を空気吹き出し口に交差する方向に例えば３群配置してもよい。この場合、隣り合うルーバー群を中立位置では逆位相とし、中立以外の方向への風向調整をした場合は同位相となるようにする。
【産業上の利用可能性】
【００５２】
本発明の風向調整装置は、空気吹き出し口より車室内へ吹き出される空気の風向を中立位置に調整した場合、各群のルーバが逆位相となるため、設置スペースの関係で空気吹き出し口の幅が狭くなっても、広角な直進風が得られると共に、中立以外の方向へ風向調整した場合、各群のルーバが同一位相となるため、良好な風向調整性能が得られるようになることからインストルメントパネルに設置する風向調整装置のみならず、車室内の任意な場所に設置する風向調整装置全般に適用することができる。
【図面の簡単な説明】
【００５３】
【図１】本発明の実施の形態になる車両用風向調整装置の斜視図である。
【図２】本発明の実施の形態になる車両用風向調整装置の分解斜視図である。
【図３】本発明の実施の形態になる車両用風向調整装置の横断面図である。
【図４】本発明の実施の形態になる車両用風向調整装置の作用説明図である。
【図５】本発明の実施の形態になる車両用風向調整装置の作用説明図である。
【図６】本発明の実施の形態になる車両用風向調整装置の作用説明図である。
【符号の説明】
【００５４】
２      ケース
３ａ    空気吹き出し口
４      前ルーバ
４ｃ    長レバー
４ｄ    短レバー
５      角度調整手段
５ａ    リンク
７      操作ダイヤル
【図１】
2005132312.tif 000003
【図２】
2005132312.tif 000004
【図３】
2005132312.tif 000005
【図４】
2005132312.tif 000006
【図５】
2005132312.tif 000007
【図６】
2005132312.tif 000008